(57)【要約】【課題】本発明は、安価で作業性の良い外周養生フレームを提供する。【解決手段】鉛直方向に立設する状態で建築物を囲うように複数連接される第１の外周養生フレーム本体３、５において、第１の外周養生フレーム本体３の他方の側端面３ｂに設けられた第２の紐材１６と、これと隣り合う第１の外周養生フレーム本体５の一方の側端面５ａに設けられた第１の紐材１５の両者に貫通されるようにリング２０が取り付けることによって両者は連結され、同じく第１の外周養生フレーム本体３の一方の側端面３ａに設けられた第１の紐材１５と、これと隣り合う第１の外周養生フレーム本体５の他方の側端面５ｂに設けられた第２の紐材１６の両者に貫通されるようにリング２０が取り付けることによって両者は連結され、これが連続して隣り合う第１の外周養生フレーム本体３、５が閉合して外周養生フレームを形成する。【選択図】　図４
2004092176.tif 000002
【特許請求の範囲】
【請求項１】
建築物の外周面に配置されて、養生ネットが取り付けられる外周養生フレームであって、
水平方向及び鉛直方向に格子状に配置される複数の縦部材及び横部材、及び、前記縦部材及び横部材各々に、所定位置で高さを違えて水平方向の回転を自在に固定され、前記建築物の水平部材に支持する第１の荷重受け部材、及び第２の荷重受け部材により形成される枠組みと、
該枠組みの一方の側端面及び他方の側端面の各々に、鉛直方向に延在するように固定手段を介して固定される第１の紐材及び第２の紐材とにより構成される第１の外周養生フレーム本体が、
鉛直方向に立設する状態で、前記建築物の外周面を覆うよう水平方向に複数連設されて、
隣り合う一方の前記第１の外周養生フレーム本体の第１の紐材と、他方の第１の外周養生フレーム本体の第２の紐材が、リングを介して鉛直方向の移動を自在に連結されることを特徴とする外周養生フレーム。
【請求項２】
請求項１に記載の外周養生フレームにおいて、
前記リングに代わり、第２の外周養生フレームが隣り合う第１の外周養生フレーム本体の間に配置されており、
該第２の外周養生フレームは、第１の外周養生フレーム本体を構成する前記第１の紐材及び第２の紐材に代わり、紐材が貫通される孔を有する第１の紐材貫通金具及び第２の紐材貫通金具を、前記枠組みの一方の側端面及び他方の側端面各々に固定されてなり、
前記第１の外周養生フレーム本体の第１の紐材及び第２の紐材各々が、隣り合う第２の外周養生フレーム本体の第２の紐材貫通金具及び第１の紐材貫通金具の孔に貫通されて、鉛直方向の移動を自在に連結されることを特徴とする外周養生フレーム。
【請求項３】
請求項１又は２に記載の外周養生フレームにおいて、
前記連結部材を構成する第１の紐材、及び第２の紐材には、部材長を調整する長さ調整手段が設けられることを特徴とする外周養生フレーム。
【発明の詳細な説明】
【０００１】
【発明の属する技術分野】
本発明は、施工中の建築物における外周面を養生ネットで覆うための外周養生フレームに関する。
【０００２】
【従来の技術】
従来より、施工中もしくは解体中の建築物には、作業階の外周面を養生ネットで覆う外周養生が行われている。図９に示すように、外周養生は、建築物１の外周面を取り囲むように配置される複数の外周養生フレーム本体２２よりなる外周養生フレーム２と、養生ネット１３とにより構成されており、外周養生フレーム２の内周面に突出するように設けられた複数の荷重受け部材８を介して、外周養生フレーム２を前記建築物１の作業階近傍におけるベランダや床等の水平部材に支持固定するとともに、該外周養生フレーム２の外周面に養生ネット１３を設けることによって前記建築物１に配置される。
このような外周養生は、建築物１の作業状況に応じて上下方向に盛り替えられるが、図１０に示すように、隣り合う外周養生フレーム本体２２は、Ｃ型チャネルによるメス部材２４、及びロパイプによるオス部材２３が、外周養生フレーム本体３の一方の側端面及び他方の側端面の各々に、鉛直軸と同軸となるように配置されており、これらを嵌合することにより鉛直方向の移動のみを自由にして連結され、外周養生フレーム本体２２を順にクレーンで揚重するものである。
【０００３】
【発明が解決しようとする課題】
しかし、このような隣り合う外周養生フレーム本体２２の連結構成は、外周養生フレーム本体２２に、取り付けクランプ等の固定手段を介してメス部材２４及びオス部材２３を取り付けると作業工程が増大し、また、固定手段に溶接を用いると、コストが膨大となり、何れも施工性に劣ることとなる。また、メス部材２４及びオス部材２３に用いるＣ型チャネルびロパイプ等の建材は、その部材長が一般に３ｍ程度であるため、外周養生フレーム２を用いることの可能な構造物が限定され、階高の大きい建築物には適用できない。
さらに、クレーン等により外周養生フレーム本体２２を揚重し、外周養生フレーム２を盛替える作業時において、鉛直以外の方向に力が作用した際には、連結構成にクリアランスがないため、外周養生フレーム本体２２が変形したり、外周壁面が凸面状に構築されている場合には、適用することができない。
加えて、上述する外周養生フレーム本体２２の連結は、隣り合う外周養生フレーム本体３との間に、メス部材２４及びオス部材２３の配置幅に応じた隙間が生じることとなり、この隙間を塞ぐ等の対処をする必要が生じる。
【０００４】
上記事情に鑑み、本発明は、安価で作業性の良い外周養生フレームを提供することを目的としている。
【０００５】
【課題を解決するための手段】
請求項１に記載の外周養生フレームは、建築物の外周面に配置されて、養生ネットが取り付けられる外周養生フレームであって、水平方向及び鉛直方向に格子状に配置される複数の縦部材及び横部材、及び、前記縦部材及び横部材各々に、所定位置で高さを違えて水平方向の回転を自在に固定され、前記建築物の水平部材に支持する第１の荷重受け部材、及び第２の荷重受け部材により形成される枠組みと、該枠組みの一方の側端面及び他方の側端面の各々に、鉛直方向に延在するように固定手段を介して固定される第１の紐材及び第２の紐材とにより構成される第１の外周養生フレーム本体が、鉛直方向に立設する状態で、前記建築物の外周面を覆うよう水平方向に複数連設されて、隣り合う一方の前記第１の外周養生フレーム本体の第１の紐材と、他方の第１の外周養生フレーム本体の第２の紐材が、リングを介して鉛直方向の移動を自在に連結されることを特徴としている。
【０００６】
請求項２に記載の外周養生フレームは、前記リングに代わり、第２の外周養生フレームが隣り合う第１の外周養生フレーム本体の間に配置されており、該第２の外周養生フレームは、第１の外周養生フレーム本体を構成する前記第１の紐材及び第２の紐材に代わり、紐材が貫通される孔を有する第１の紐材貫通金具及び第２の紐材貫通金具を、前記枠組みの一方の側端面及び他方の側端面各々に固定されてなり、前記第１の外周養生フレーム本体の第１の紐材及び第２の紐材各々が、隣り合う第２の外周養生フレーム本体の第２の紐材貫通金具及び第１の紐材貫通金具の孔に貫通されて、鉛直方向の移動を自在に連結されることを特徴としている。
【０００７】
請求項３に記載の外周養生フレームは、前記連結部材を構成する第１の紐材、及び第２の紐材には、部材長を調整する長さ調整手段が設けられることを特徴としている。
【０００８】
【発明の実施の形態】
本発明の外周養生に用いる外周養生フレームは、外周養生フレーム本体を水平方向に複数連接し、外周養生フレーム本体に備えられる紐材、紐材貫通金具もしくはリング等の簡略な構成を用いて連結し、コストの低減、作業性の向上を実現するものである。
【０００９】
（第１の実施の形態）
図１に示すように、建築物１の外周に配置される外周養生フレーム２は、複数の第１の外周養生フレーム本体３、５を、鉛直方向に立設した状態で水平方向に連接し、鉛直方向の移動を自在に連結することにより構成されている。前記外周フレーム本体３は、枠組み４と、第１の紐材１５及び第２の紐材１６とにより構成されている。前記枠組み４は、鋼材等の角パイプよりなる縦部材６及び横部材７を組み合わせた四角形の枠の内方に、同じく前記縦部材６及び横部材７を所定の離間距離を持って格子状となるように複数組み立てることにより構成されており、格子状に配された縦部材６には第１の荷重受け部材８、同じく格子状に配された横部材７には第２の荷重受け部材１９が設置されている。
【００１０】
前記枠組み４に備えられた第１の荷重受け部材８は、枠組み４の内方に配された複数の縦部材６に対して、所定の高さ位置に取り付けられており、図２に示すように、鋼材等の単管よりなり、鉛直方向に配される支持棒９と、該支持棒９から水平に突出するように設けられる荷重受けブラケット１０と、該荷重受けブラケット１０の下端面に固定手段を介して取り付けられる水平部材固定金具１２により構成されている。このような構成による第１の荷重受け部材８は、支持棒９が連結金具１１を介して前記縦部材６に固定されることにより外周養生フレーム本体３と一体化されており、前記荷重受けブラケット１０が、外周養生フレーム本体３から建築物１に向かって直交して突出するように配された状態で、前記水平部材固定金具１２が建築物１の床やベランダ等の水平部材１ａに設けられたファスナ等の凹部に嵌合されることにより、建築物１に固定される。
【００１１】
また、第１の荷重受け部材８の取り付け位置より上方で、前記水平部材１ａから建築物の階高より下方に位置する横部材７には、複数の第２の荷重受け部材１９が所定の離間距離を持って配置されており、一方の端部１９ａが鉛直方向に回転の自在なヒンジを介して固定されるとともに、他方の端部１９ｂには、第１の荷重受け部材８に設けられたものと同様の水平部材固定金具１２が取り付けられている。このような第２の荷重受け部材１９は、他方の端部１９ｂの水平部材固定金具１２が、前記荷重受け部材８の固定されている水平部材１ａに別途設けられたファスナや金具等の凹部に嵌合されることにより、建築物１に固定される。このように、前記外周養生フレーム本体３は、該外周養生フレーム本体３の異なる高さ位置に取り付けられた前記第１の荷重受け部材８、及び第２の荷重受け部材１９の両者を介して、建築物１の同一の水平部材１ａに支持される構成となっている。これにより、外周養生フレーム本体３は、鉛直軸方向に立設される状態を維持した状態で、前記建築物１に固定されることとなる。
【００１２】
一方で、前記外周養生フレーム本体３をクレーン等を用いて揚重する際には、第１の荷重受け部材８に備えられる水平部材固定金具１２を水平部材１ａから解放し、前記縦部材６を軸として支持棒９に設けられた連結金具１１を回転させて、荷重受けブラケット１０を前記外周養生フレーム本体３もしくは建築物１に対して平行となるように配置し、荷重受けブラケット１０と建築物１との抵触を防ぐ。同様に、第２の荷重受け部材１９においても、他方の端部１９ｂに備えられた水平部材固定金具１２を水平部材１ａより解放し、一方の端部１９ａを鉛直方向に回転させて、第２の荷重受け部材１９が鉛直軸方向に平行となるように配置し、外周養生フレーム本体３に収めることにより、建築物１との抵触を防ぐ。
【００１３】
本実施の形態において、前記第１の荷重受け部材８、及び第２の荷重受け部材１９には、水平部材固定金具１２を備え、建築物１の水平部材１ａに設けられたファスナ等の凹部に固定する構成としたが、これにこだわるものではなく、前記外周養生フレーム本体３が、建築物１の所定高さに保持されるものであれば、建築物１の何れの部材に何れの固定手段を介して固定する構成を用いても良い。
【００１４】
ところで、図１に示すように、第１の外周養生フレーム本体３の一方の側端面３ａには、上端部近傍、及び下端部近傍にアイボルト等の紐材固定金具１４ａ，１４ｂが対をなして取り付けられており、これらを連結するように第１の紐材１５が締結されている。また、他方の側端面３ｂにも、一方の側端面３ａと同様に、対をなす水平部材固定金具１４ａ，１４ｂを連結するように第２の紐材１６が締結されている。これら第１の紐材１５及び第２の紐材１６は、鋼製ワイヤー等の外周養生フレーム本体３の荷重が作用した際にも耐えうる強度を有する部材よりなり、図３に示すように、リング２０を用いることによって、隣り合う第１の外周養生フレーム本体３、５の連結部材として機能するものである。
【００１５】
前記リング２０は、カタビラ等の開閉可能な輪状金物であり、鉛直方向に立設する状態で前記建築物１を囲うように複数連接される第１の外周養生フレーム本体３、５において、第１の外周養生フレーム本体３の他方の側端面３ｂに設けられた第２の紐材１６と、これと隣り合う第１の外周養生フレーム本体５の一方の側端面５ａに設けられた第１の紐材１５を連結するように貫通される。また同じように、第１の外周養生フレーム本体３の一方の側端面３ａに設けられた第１の紐材１５と、これと隣り合う第１の外周養生フレーム本体５の他方の側端面５ｂに設けられた第２の紐材１６を連結するようにリング２０が両者に貫通される。このような連結構成が連続して隣り合う第１の外周養生フレーム本体３、５は閉合し、外周養生フレーム２を形成するものである。該外周養生フレーム２の外周面には、後に養生ネット１３が取り付けられて、外周養生を構成する。
【００１６】
上述するような、外周養生フレーム２の盛り変え方法は、図４に示すように、隣り合う第１の外周養生フレーム本体３、５に対して、一方の第１の外周養生フレーム本体３を、前記荷重受け部材８、及び第２の荷重受け部材１９を用いて建築物１に固定するとともに、他方の第１の外周養生フレーム本体５を建築物１に対して解放し、他方の第１の外周養生フレーム本体５をクレーンにより揚重することにより、他方の第１の外周養生フレーム本体５の高さ位置を上下方向に移動可能とするものである。したがって、荷重受け部材８、及び第２の荷重受け部材１９を用いた建築物１への解放及び揚重を、隣り合う第１の外周養生フレーム本体３、５の一方と他方とで、交互に行うことにより、前記外周養生フレーム２は１フロアづつ上昇、もしくは下降することとなる。
【００１７】
なお、これら第１の紐材１５及び第２の紐材１６の下端部には、安全具として一般に用いられているロリップ等の長さ調整部材１７が取り付けられている。該長さ調整部材１７は、外周養生フレーム２を上下方向に移動する際には、前記第１の紐材１５及び第２の紐材１６を弛めた状態に、建築物１に固定されている際には、緊張した状態に保持することを目的に用いられるものである。
したがって、前記第１の紐材１５及び第２の紐材１６は、上下方向に離間配置されている水平部材固定金具１４ａ，１４ｂの離間距離と同様の長さに形成されており、図３に示すように、通常時は下端部を紐材固定金具１４ｂに直接連結し、緊張した状態で外周養生フレーム本体３に保持されるが、移動時には図４に示すように、下端部を長さ調整部材１７を介して紐材固定金具１４ｂに連結し、外周養生フレーム本体３に対して弛んだ状態に保持されることとなる。
【００１８】
（第２の実施の形態）
第１の実施の形態で示した第１の外周養生フレーム本体３に加えて、前記リング２０に代わる第２の外周養生フレーム本体２１を用い、これらを交互に連接した場合の外周養生フレーム２を以下に示す。
図５に示すように、外周養生フレーム２は、第１の実施の形態で用いた両側端面に、第１の紐材１５及び第２の紐材１６を備えたの第１の外周養生フレーム本体３と、第２の外周養生フレーム本体２１とを、鉛直方向に立設する状態で建築物１の外周を囲うようにして、交互に水平方向に連接することにより構成されている。該第２の外周養生フレーム本体２１は、前記第１の実施の形態と同様の第１の荷重受け部材８及び第２の荷重受け部材１９が備えられた枠組み４を有しており、該枠組み４の一方の側端面２１ａ及び他方の側端面２１ｂには、第１の紐材１５及び第２の紐材１６に代わり、第１の紐材貫通金物１８ａ及び第２の紐材貫通金物１８ｂが鉛直方向に孔を向けて固定手段により固定されている。
本実施の形態では、第１の紐材貫通金物１８ａ及び第２の紐材貫通金物１８ｂにＵボルトを用いているが、これにこだわるものではなく、第１の紐材１５及び第２の紐材１６が貫通する孔を有するとともに、これら紐材を介して外周養生フレーム本体３の荷重が作用した際にも変形しない剛性を有していれば、何れの部材を用いても良い。
【００１９】
なお、本実施の形態において、一方の側端面２１ａに配される第１の紐材貫通金物１８ａは、第１の外周養生フレーム本体３の両側端面の下方側に固定された紐材固定金具１４ｂと比較してやや上方に、他方の側端面２１ｂに配される第２の紐材貫通金物１８ｂは、第１の外周養生フレーム本体３の両側端面の上方側に固定された紐材固定金具１４ａと比較してやや下方に設ける構成としている。しかし、固定位置はこれにこだわるものではなく、第１の紐材貫通金物１８ａ及び第２の紐材貫通金物１８ｂ両者ともに、第１の外周養生フレーム本体３の両側端面の下方側に固定された紐材固定金具１４ｂと比較してやや上方、もしくは上方側に固定された紐材固定金具１４ａと比較してやや下方に設ける構成等、何れを用いてもよい。
【００２０】
これら第１の外周養生フレーム本体３に備えられた第１の紐材１５及び第２の紐材１６と、第２の外周養生フレーム本体２１に備えられた第１の紐材貫通金物１８ａ及び第２の紐材貫通金物１８ｂは、鉛直方向に立設する状態で、建築物１の外周を囲うようにして、水平方向に交互に配置される第１の外周養生フレーム本体３、及び第２の外周養生フレーム本体２１の連結部材として機能するものである。つまり、図６に示すように、第１の外周養生フレーム本体３の一方の側端面３ａに配される第１の紐材１５が、第２の外周養生フレーム本体２１の他方の側端面２１ｂに設けられた第２の紐材貫通金具１８ｂの孔に貫通されて連結される。同様に、第１の外周養生フレーム本体３の他方の側端面３ｂに配される第２の紐材１６が、隣り合う第２の外周養生フレーム本体２１の一方の側端面２１ａに設けられた第１の紐材貫通金具１８ａの孔に貫通されて連結されて、これらが連続することにより閉合し外周養生フレーム２を形成するものである。該外周養生フレーム２の外周面には、後に養生ネット１３が取り付けられて、外周養生を構成する。
【００２１】
上述するような、外周養生フレーム２の盛り変え方法は、図７に示すように、例えば、交互に配された第１の外周養生フレーム本体３、第２の外周養生フレーム本体２１に対して、第２の外周養生フレーム本体２１を、前記荷重受け部材８、及び第２の荷重受け部材１９を用いて建築物１に固定するとともに、第１の外周養生フレーム本体３を建築物１に対して解放し、第１の外周養生フレーム本体３をクレーンにより揚重することにより、第１の外周養生フレーム本体３の高さ位置を上下方向に移動可能とするものである。したがって、荷重受け部材８、及び第２の荷重受け部材１９を用いた建築物１への解放及び揚重を、交互に配された第１の外周養生フレーム本体３、第２の外周養生フレーム本体２１で、交互に行うことにより、前記外周養生フレーム２は１フロアづつ上昇、もしくは下降することとなる。
【００２２】
なお、これら第１の紐材１５及び第２の紐材１６の下端部には、第１の実施の形態と同様に、長さ調整部材１７が取り付けられており、通常時は、下端部を紐材固定金具１４ｂに直接連結し、緊張した状態で外周養生フレーム本体３に保持されるが、移動時には図７に示すように、下端部を長さ調整部材１７を介して紐材固定金具１４ｂに連結し、外周養生フレーム本体３に対して弛んだ状態に保持されることとなる。
【００２３】
上述する構成によれば、第１の実施の形態では、外周養生フレーム２は、複数の第１の外周養生フレーム本体３を鉛直方向に立設する状態で、前記建築物１を囲うように水平方向に複数連接し、第１の外周養生フレーム本体３の他方の側端面３ｂに設けられた第２の紐材１６と、これと隣り合う第１の外周養生フレーム本体５の一方の側端面５ａに設けられた第１の紐材１５の両者に、また第１の外周養生フレーム本体３の一方の側端面３ａに設けられた第１の紐材１５と、これと隣り合う第１の外周養生フレーム本体５の他方の側端面５ｂに設けられた第２の紐材１６の両者に、各々リング２０を貫通されるように取り付けて連結され、これを連続することにより構成されるため、連結部材として機能する第１の紐材１５、第２の紐材１６及びリング２０の枠組み４に対する取り付けが容易で作業効率が良いとともに、汎用的な材料を用いた簡略な構成で、工費削減、工期短縮に大きく寄与することが可能となる。
また、第１の外周養生フレーム本体３の両側端部が左右対称に形成されているため、作業の工程変更により、外周養生フレーム本体３の移動順序が変更した場合にも、適宜対応することができ、施工性を向上することが可能となる。
【００２４】
第２の実施の形態では、外周養生フレーム２は、複数の第１の外周養生フレーム本体３及び第２の外周養生フレーム本体２１を鉛直方向に立設する状態で、前記建築物１を囲うように水平方向に交互に位置するように連接され、第１の外周養生フレーム本体３の一方の側端面３ａに配される第１の紐材１５が、第２の外周養生フレーム本体２１の他方の側端面２１ｂに設けられた第２の紐材貫通金具１８ｂの孔に貫通されるとともに、第１の外周養生フレーム本体３の他方の側端面３ｂに配される第２の紐材１６が、第２の外周養生フレーム本体２１の一方の側端面２１ａに設けられた第１の紐材貫通金具１８ａの孔に貫通されて連結されて、これらが連続することにより構成されることから、簡略な構成で作業効率がよく、工費削減、工期短縮に大きく寄与することが可能である。
また、隣り合う第１の外周養生フレーム本体３及び第２の外周養生フレーム本体２１の間隔を、第１の紐材１５、もしくは第２の紐材１６の張出分のみ設ければよいため、隣り合う外周養生フレーム本体３の隙間を小さく抑えることができ、従来より行っていた隙間を塞ぐ等の追加作業を省略することが可能となる。
【００２５】
一方、何れの実施の形態においても、前記第１の紐材１５及び第２の紐材１６には、長さ調整部材１７が備えられており、上下方向の移動時には第１の紐材１５及び第２の紐材１６を弛ませ、建築物に固定する際には第１の紐材１５及び第２の紐材１６を緊張させることから、移動時に鉛直方向以外の力が作用した際にも、第１の紐材１５及び第２の紐材１６が力を吸収して外周養生フレーム２に力が作用することなく、変形を防ぐことができるとともに、固定時には、建築物１に対して安定した状態で配置することが可能となる。
【００２６】
また、前記第１の紐材１５及び第２の紐材１６の長さを長さ調整部材１７により所望の長さに設定することが可能であるため、上下方向の移動距離を自在に設定でき、建築物１の階高によることがないとともに、図８に示すように、外周面が凸状に構築された建築物１にも、外周養生フレーム２の断面形状を第１の紐材１５及び第２の紐材１６を介して適宜変形させて適用することができ、何れの建築物にも汎用的に適用することが可能となる。
【００２７】
【発明の効果】
請求項１に記載の外周養生フレームによれば、建築物の外周面を養生ネットで覆うための外周養生フレームであって、水平に離間配置される複数の横部材、及び複数の該横部材を連結するように鉛直に離間配置される複数の縦部材とを組み合わせて形成され、前記建築物の水平部材に支持する第１の荷重受け部材、及び第２の荷重受け部材が、前記縦部材、及び横部材各々に所定位置で高さを違えて、水平方向の回転を自在に固定される枠組みと、該枠組みの一方の側端面及び他方の側端面の各々に、鉛直方向に延在するように固定手段を介して固定される第１の紐材及び第２の紐材とにより構成される第１の外周養生フレーム本体が、鉛直方向に立設する状態で、前記建築物の外周面を覆うよう水平方向に複数連設されて、隣り合う一方の前記第１の外周養生フレーム本体の紐材と、他方の第１の外周養生フレーム本体の第２の紐材が、リングを介して鉛直方向の移動を自在に連結されることから、連結部材として機能する第１の紐材、第２の紐材及びリングの取り付けが容易で作業効率が良いとともに、汎用的な材料を用いた簡略な構成で、工費削減、工期短縮に大きく寄与することが可能となる。
また、第１の外周養生フレーム本体の両側端部が左右対称に形成されているため、作業の工程変更により、外周養生フレーム本体の移動順序が変更した場合にも、適宜対応することができ、施工性を向上することが可能となる。
【００２８】
請求項２に記載の外周養生フレームによれば、前記第１の紐材及び第２の紐材に代わり、第１の紐材貫通金具及び第２の紐材貫通金具を、前記枠組みの一方の側端面及び他方の側端面各々に固定された第２の外周養生フレームが、鉛直方向に立設する状態で、前記第１の外周養生フレームと交互に前記建築物の外周面を覆うよう水平方向に複数連設されて、前記第１の外周養生フレーム本体の第１の紐材及び第２の紐材各々が、隣り合う第２の外周養生フレーム本体の第２の紐材貫通金具及び第１の紐材貫通金具の孔に貫通されて、鉛直方向の移動を自在に連結されることから、簡略な構成で作業効率がよく、工費削減、工期短縮に大きく寄与することが可能となる。
また、隣り合う第１の外周養生フレーム本体及び第２の外周養生フレーム本体の間隔を、第１の紐材、もしくは第２の紐材の張出分のみ設ければよいため、隣り合う外周養生フレーム本体の隙間を小さく抑えることができ、従来より行っていた隙間を塞ぐ等の追加作業を省略することが可能となる。
【００２９】
請求項３に記載の外周養生フレームによれば、前記連結部材を構成する第１の紐材、及び第２の紐材には、部材長を調整する長さ調整手段が設けられることから、移動時に鉛直方向以外の力が作用した際にも、外周養生フレーム本体に力が作用することなく、変形を防ぐことができるとともに、固定時には、建築物に対して安定した状態で配置することが可能となる。
また、前記第１の紐材及び第２の紐材の長さを長さ調整部材により所望の長さに設定することが可能であるため、上下方向の移動距離を自在に設定でき、建築物の階高によることがないとともに、外周面が凸状に構築された建築物にも、外周養生フレームの断面形状を第１の紐材及び第２の紐材を介して適宜変形させて適用することができ、何れの建築物にも汎用的に適用することが可能となる。
【図面の簡単な説明】
【図１】本発明の第１の実施の形態の外周養生フレームの概略を示す図である。
【図２】本発明の第１の荷重受け部材、及び第２の荷重受け部材を示す図である。
【図３】本発明の第１の外周養生フレーム本体の連結部を示す図である。
【図４】本発明の第１の実施の形態の外周養生フレームの盛り替え方法を示す図である。
【図５】本発明の第２の実施の形態の外周養生フレームの概略を示す図である。
【図６】本発明の第１の外周養生フレーム本体及び第２の外周養生フレーム本体の連結部を示す図である。
【図７】本発明の第２の実施の形態の外周養生フレームの盛り替え方法を示す図である。
【図８】本発明の外周養生フレームの側面を示す図である。
【図９】従来の外周養生フレームの概略を示す図である。
【図１０】従来の外周養生フレーム本体の連結部のを示す図である。
【符号の説明】
１　建築物
１ａ　水平部材
２　外周養生フレーム
３　第１の外周養生フレーム本体
３ａ　一方の側端面
３ｂ　他方の側端面
４　枠組み
５　第１の外周養生フレーム本体
５ａ　一方の側端面
６　縦部材
７　横部材
８　第１の荷重受け部材
９　支持棒
１０　荷重受けブラケット
１１　連結金具
１２　水平部材固定金具
１３　養生ネット
１４ａ、１４ｂ　紐材固定金具
１５　第１の紐材
１６　第２の紐材
１７　長さ調整部材
１８ａ　紐材貫通金具
１８ｂ　紐材貫通金具
１９　第２の荷重受け部材
１９ａ　第１の側端面
１９ｂ　第２の側端面
２０　リング
２１　第２の外周養生フレーム本体
２１ａ　第１の側端面
２１ｂ　第２の側端面
２２　外周養生フレーム本体
２３　オス部材
２４　メス部材
【図１】
2004092176.tif 000003
【図２】
2004092176.tif 000004
【図３】
2004092176.tif 000005
【図４】
2004092176.tif 000006
【図５】
2004092176.tif 000007
【図６】
2004092176.tif 000008
【図７】
2004092176.tif 000009
【図８】
2004092176.tif 000010
【図９】
2004092176.tif 000011
【図１０】
2004092176.tif 000012